(57)【要約】【課題】放送信号の信号レベルが低下した場合にも、データの伝送効率の低下に起因するブロックノイズが発生するのを抑制することが可能な放送受信装置を提供する。【解決手段】このＢＤレコーダ（放送受信装置）１０は、放送データと誤り訂正情報とを含む放送信号を受信するチューナ１２と、チューナ１２により受信された放送信号を復調する復調回路１３と、チューナ１２により受信された放送信号の信号レベルに応じて、チューナ１２から復調回路１３に出力される放送信号のうちの放送データの割合を調整するとともに、放送信号の干渉を抑制するために放送信号に付加するガードインターバルの幅を調整する制御部１６とを備える。【選択図】図４
2014138230.tif 000002
【特許請求の範囲】
【請求項１】
放送データと誤り訂正情報とを含む放送信号を受信する受信部と、
前記受信部により受信された前記放送信号を復調する復調部と、
前記受信部により受信された前記放送信号の信号レベルに応じて、前記受信部から前記復調部に出力される前記放送信号のうちの前記放送データの割合を調整するとともに、前記放送信号の干渉を抑制するために前記放送信号に付加するガードインターバルの幅を調整する制御部とを備えた、放送受信装置。
【請求項２】
前記制御部は、前記放送信号の信号レベルの低下が抑制されるように、前記ガードインターバルの幅を変更するように構成されている、請求項１に記載の放送受信装置。
【請求項３】
前記制御部は、予め測定された、前記ガードインターバルの幅が変化した際における前記放送信号の信号レベルの変化に関するガードインターバル情報に基づいて、前記放送信号の受信レベルの低下が抑制されるように、前記ガードインターバルの幅を変更するように構成されている、請求項２に記載の放送受信装置。
【請求項４】
前記ガードインターバル情報を記憶する記憶部をさらに備え、
前記制御部は、前記放送信号を受信するチャンネルのスキャニングが行われる際に、前記ガードインターバル情報を測定して、測定した前記ガードインターバル情報を前記記憶部に記憶するように構成されている、請求項３に記載の放送受信装置。
【請求項５】
前記制御部は、前記放送信号の搬送波対雑音比、前記放送信号に対する誤り訂正の発生率、または、前記放送信号の受信レベルに応じて、前記受信部から前記復調部に出力される前記放送信号のうちの前記放送データの割合を段階的に調整するとともに、前記放送信号に付加する前記ガードインターバルの幅を調整するように構成されている、請求項１〜４のいずれか１項に記載の放送受信装置。
【発明の詳細な説明】
【技術分野】
【０００１】
この発明は、放送受信装置に関し、特に、放送信号の信号レベルに応じて、放送信号のうちの放送データの割合を調整する制御部を備えた放送受信装置に関する。
【背景技術】
【０００２】
従来、放送信号の信号レベルに応じて、放送信号のうちの放送データの割合を調整する制御部を備えた放送受信装置が知られている（たとえば、特許文献１参照）。
【０００３】
上記特許文献１には、人工衛星からアンテナを介して受信され、畳み込み符号化された信号（受信データと誤り訂正情報とを含む信号）を復調する変換器（復調部）と、変換器から出力された信号を復号する軟判定ビタビ復号回路と、制御処理部とを備えた衛星通信装置が開示されている。この衛星通信装置の制御処理部は、人工衛星からの受信信号の復号時における誤り訂正の発生率と、受信信号の電力レベル（信号レベル）とに応じて、受信データの伝送効率が向上するように、変換器から軟判定ビタビ復号回路に出力される信号の符号化率（畳み込み符号化された受信信号のうちの受信データの割合）を調整するように構成されている。なお、この衛星通信装置では、変換器から軟判定ビタビ復号回路に信号が伝送される際におけるガードインターバル（信号が連続的に複数伝送される場合に、信号同士が干渉するのを抑制するために信号に付加される冗長部分）の幅は、一定に保たれていると考えられる。
【先行技術文献】
【特許文献】
【０００４】
【特許文献１】特開２００４−３５６６６５号公報
【発明の概要】
【発明が解決しようとする課題】
【０００５】
しかしながら、上記特許文献１では、変換器から軟判定ビタビ復号回路に信号が伝送される際におけるガードインターバルの幅が一定に保たれていると考えられるため、受信信号の信号レベルが低下した場合に、受信データの伝送効率が向上するように、変換器から軟判定ビタビ復号回路に出力される信号の符号化率が調整された場合でも、ガードインターバルの幅が必要以上に大きく設定されている場合には、所定時間当りに伝送される信号に含まれるデータ量が減少するという不都合があると考えられる。この場合には、受信信号の信号レベルが低下した場合にデータの伝送効率が低下することに起因して、ブロックノイズ（受信信号が画像として表示された場合に画像の一部の領域（ブロック）がモザイク状に表示される現象を引き起こすノイズ）が発生しやすいという問題点があると考えられる。
【０００６】
この発明は、上記のような課題を解決するためになされたものであり、この発明の１つの目的は、放送信号の信号レベルが低下した場合にも、データの伝送効率の低下に起因するブロックノイズが発生するのを抑制することが可能な放送受信装置を提供することである。
【課題を解決するための手段】
【０００７】
上記目的を達成するために、この発明の一の局面による放送受信装置は、放送データと誤り訂正情報とを含む放送信号を受信する受信部と、受信部により受信された放送信号を復調する復調部と、受信部により受信された放送信号の信号レベルに応じて、受信部から復調部に出力される放送信号のうちの放送データの割合を調整するとともに、放送信号の干渉を抑制するために放送信号に付加するガードインターバルの幅を調整する制御部とを備える。
【０００８】
この発明の一の局面による放送受信装置では、上記のように構成することによって、放送信号の信号レベルが低下した場合において、ガードインターバルの幅が必要以上に大きい場合には、ガードインターバルの幅を小さくするように調整することができるので、所定時間当りに伝送される放送信号のデータ量が減少するのを抑制することができる。これにより、放送信号の信号レベルが低下した場合にも、データの伝送効率が低下することを抑制することができるので、データの伝送効率の低下に起因するブロックノイズが発生するのを抑制することができる。
【０００９】
上記一の局面による放送受信装置において、好ましくは、制御部は、放送信号の信号レベルの低下が抑制されるように、ガードインターバルの幅を変更するように構成されている。このように構成すれば、ガードインターバルの幅が変更されても、放送信号の信号レベルの低下が抑制されるので、ガードインターバルの幅の変更に起因する放送信号の信号レベルの低下を抑制しながら、所定時間当りに伝送される放送信号のデータ量が減少するのを抑制することができる。
【００１０】
この場合、好ましくは、制御部は、予め測定された、ガードインターバルの幅が変化した際における放送信号の信号レベルの変化に関するガードインターバル情報に基づいて、放送信号の受信レベルの低下が抑制されるように、ガードインターバルの幅を変更するように構成されている。このように構成すれば、ガードインターバルの幅が変化した際における放送信号の信号レベルの変化に関するガードインターバル情報に基づいて、容易に、放送信号の受信レベルの低下が抑制されるガードインターバルの幅を選択することができる。
【００１１】
上記ガードインターバル情報に基づいてガードインターバルの幅を変更する制御部を備えた放送受信装置において、好ましくは、ガードインターバル情報を記憶する記憶部をさらに備え、制御部は、放送信号を受信するチャンネルのスキャニングが行われる際に、ガードインターバル情報を測定して、測定したガードインターバル情報を記憶部に記憶するように構成されている。このように構成すれば、放送信号を受信するチャンネルのスキャニング時にガードインターバル情報が予め取得されて記憶部に記憶されるので、ガードインターバルの幅を変更する際に、記憶部に記憶されたガードインターバル情報を参照することにより、放送信号の受信レベルの低下が抑制されるガードインターバルの幅を迅速に選択することができる。
【００１２】
上記一の局面による放送受信装置において、好ましくは、制御部は、放送信号の搬送波対雑音比（ＣＮ比）、放送信号に対する誤り訂正の発生率、または、放送信号の受信レベルに応じて、受信部から復調部に出力される放送信号のうちの放送データの割合を段階的に調整するとともに、放送信号に付加するガードインターバルの幅を調整するように構成されている。このように構成すれば、受信部から復調部に出力される放送信号のうちの放送データの割合を連続的に変化させる場合と異なり、放送データの割合の調整を行う際の制御部の制御負担を軽減することができる。
【発明の効果】
【００１３】
本発明によれば、上記のように、放送信号の信号レベルが低下した場合にも、データの伝送効率の低下に起因するブロックノイズが発生するのを抑制することができる。
【図面の簡単な説明】
【００１４】
【図１】本発明の第１実施形態によるＢＤレコーダの全体構成を示したブロック図である。
【図２】図１に示したチューナから復調回路に出力される放送信号を示したイメージ図である。
【図３】本発明の第１実施形態によるＢＤレコーダの制御部によりガードインターバル情報が取得される際に実行される処理フローを示したフローチャートである。
【図４】本発明の第１実施形態によるＢＤレコーダの制御部により符号化率およびガード比が調整される際に実行される処理フローを示したフローチャートである。
【図５】本発明の第２実施形態によるＢＤレコーダの制御部により符号化率およびガード比が調整される際に実行される処理フローを示したフローチャートである。
【発明を実施するための形態】
【００１５】
以下、本発明の実施形態を図面に基づいて説明する。
【００１６】
（第１実施形態）
まず、図１および図２を参照して、本発明の第１実施形態によるＢＤ（Ｂｌｕ−Ｒａｙ（登録商標）  Ｄｉｓｃ）レコーダ１０の構成について説明する。なお、ＢＤレコーダ１０は、本発明の「放送受信装置」の一例である。このＢＤレコーダ１０は、ＤＶＤ（Ｄｉｇｉｔａｌ  Ｖｅｒｓａｔｉｌｅ  Ｄｉｓｃ）やＢＤなどのディスク型記録媒体（光ディスク）に記録された映像・音声データを外部機器（たとえば表示装置２０）に出力可能であるとともに、外部機器から入力される映像・音声データを光ディスクに記録可能に構成された記録再生装置である。
【００１７】
図１に示すように、ＢＤレコーダ１０は、ディスクドライブ１１と、チューナ１２と、復調回路１３と、デコーダ１４と、出力Ｉ／Ｆ（インターフェース）１５と、制御部１６と、メモリ１７とを備える。なお、チューナ１２、復調回路１３およびメモリ１７は、それぞれ、本発明の「受信部」、「復調部」および「記憶部」の一例である。
【００１８】
ディスクドライブ１１は、ＤＶＤやＢＤなどの光ディスクを駆動するために設けられている。また、チューナ１２は、アンテナ３０に接続されており、アンテナ３０を介して放送信号（たとえば、地上波デジタルテレビジョン放送信号）を受信するように構成されている。そして、チューナ１２は、受信した放送信号を復調回路１３に出力するように構成されている。
【００１９】
ここで、図２に示すように、チューナ１２から復調回路１３に出力される放送信号は、畳み込み符号（Ｃｏｎｖｏｌｕｔｉｏｎａｌ  Ｃｏｄｅ）化されており、放送データと、誤り訂正情報と、ガードインターバルとを含む。なお、誤り訂正情報とは、畳み込み符号化された放送信号が復調される際に誤りが発生するのを抑制するために放送信号に付加される冗長部分のことである。また、ガードインターバルとは、放送信号が連続的に複数伝送される場合に、放送信号同士が干渉するのを抑制するために放送信号に付加される冗長部分のことである。また、図２のＬ１、Ｌ２およびＬ３は、それぞれ、放送データ、誤り訂正情報およびガードインターバルのデータ長（幅）である。
【００２０】
図１に示すように、復調回路１３は、チューナ１２から出力された放送信号を復調してデコーダ１４に出力するように構成されている。また、デコーダ１４は、復調回路１３により復調された放送信号をデコード（復号）して出力Ｉ／Ｆ１５に出力するように構成されている。なお、出力Ｉ／Ｆ１５は、表示装置２０に接続されており、デコーダ１４から受信した放送信号のうちの放送データを表示装置２０に出力するように構成されている。
【００２１】
また、制御部１６は、ＢＤレコーダ１０の各部の制御を行うために設けられている。また、メモリ１７は、制御部１６により実行される種々のプログラムや、後述するガードインターバル情報１７ａなどの種々のデータを記憶するために設けられている。
【００２２】
ここで、第１実施形態では、制御部１６は、チューナ１２により受信された放送信号の信号レベルに応じて、チューナ１２から復調回路１３に出力される放送信号のうちの放送データの割合を調整するとともに、放送信号の干渉を抑制するために放送信号に付加するガードインターバルの幅を調整する制御を行うように構成されている。具体的には、制御部１６は、チューナ１２により受信された放送信号のＣＮ比（搬送波対雑音比）に応じて、放送信号の符号化率およびガード比を調整する制御を行うように構成されている。なお、符号化率とは、畳み込み符号化された放送データおよび誤り訂正情報に対する放送データの割合であり、図２のＬ１／（Ｌ１＋Ｌ２）で表される数値である。また、ガード比とは、放送信号のうちの有効な情報を含む部分（放送データおよび誤り訂正情報を含む部分）に対するガードインターバルの割合であり、図２のＬ３／（Ｌ１＋Ｌ２）で表される数値である。
【００２３】
制御部１６は、上記のように符号化率およびガード比を調整する際には、予め設定された複数の符号化率およびガード比から選択するように構成されている。たとえば、日本の地上波デジタルテレビジョン放送信号の場合、符号化率として、１／２、２／３、３／４、５／６および７／８が選択可能に構成されているとともに、ガード比として、１／４、１／８、１／１６および１／３２が選択可能に構成されている。
【００２４】
また、制御部１６は、放送信号のＣＮ比が所定の基準値以上か否かを監視して、その監視結果に応じて、放送信号の符号化率を段階的に小さくするように構成されている。たとえば、制御部１６は、ＣＮ比が８．５以下である場合に、符号化率を初期値（７／８）から一段階小さい値（５／６）に設定するように構成されている。また、制御部１６は、ＣＮ比が８を下回った場合に、符号化率を５／６から一段階小さい３／４に設定するように構成されている。また、制御部１６は、ＣＮ比が７．５を下回った場合に、符号化率を３／４から一段階小さい２／３に設定するように構成されている。また、制御部１６は、ＣＮ比が７を下回った場合に、符号化率を２／３から一段階小さい１／２に設定するように構成されている。
【００２５】
また、制御部１６は、上記のように符号化率が初期値（７／８）から一段階小さい値（５／６）に設定された場合には、放送信号のガード比を、ＣＮ比の低下を最も抑制可能な最適な値に変更するように構成されている。詳細には、まず、制御部１６は、ＢＤレコーダ１０の初期設定時などにチューナ１２により行われるチャンネルスキャン（テレビジョン放送を受信可能なチャンネルのスキャニング）の際に、放送信号のガード比を種々に変更することにより、放送信号のガード比を種々に変更した場合にＣＮ比がどの程度劣化するのかを測定するように構成されている。そして、制御部１６は、このように測定された情報（放送信号のガード比を種々に変更した場合における放送信号のＣＮ比の変化に関する情報）を、ガードインターバル情報１７ａとしてメモリ１７に記憶するように構成されている。そして、制御部１６は、メモリ１７に記憶されたガードインターバル情報１７ａに基づいて、ガード比の変更に起因するＣＮ比の劣化が最も抑制され、かつ、ガードインターバルの幅が最も小さくなるようにガード比を変更するように構成されている。
【００２６】
次に、図３を参照して、本発明の第１実施形態によるＢＤレコーダ１０の制御部１６によりガードインターバル情報１７ａが取得される際に実行される処理フローについて説明する。この処理フローは、ＢＤレコーダ１０の初期設定時などに開始される。
【００２７】
この処理フローにおいては、まず、図３に示すように、ステップＳ１において、チューナ１２を介して、テレビジョン放送を受信可能なチャンネルのスキャニング（チャンネルスキャン）を行う処理が実行される。そして、ステップＳ２に進む。
【００２８】
次に、ステップＳ２において、ガードインターバル情報１７ａを取得する処理が実行される。ここで、ガードインターバル情報１７ａとは、放送信号のガードインターバルが変化した際における放送信号のＣＮ比（搬送波対雑音比）の変化に関する情報である。すなわち、このステップＳ２においては、放送信号のガード比を種々に変更した場合にＣＮ比がどの程度劣化するのかが測定され、その測定結果がガードインターバル情報１７ａとして取得される。そして、ステップＳ３に進む。
【００２９】
次に、ステップＳ３において、上記ステップＳ２において取得されたガードインターバル情報１７ａをメモリ１７に記憶する処理が実行される。そして、処理が終了される。
【００３０】
以上のようにして、ガードインターバル情報１７ａが取得される。
【００３１】
次に、図４を参照して、本発明の第１実施形態によるＢＤレコーダ１０の制御部１６により符号化率およびガード比が調整される際に実行される処理フローについて説明する。
【００３２】
この処理フローにおいては、まず、図４に示すように、ステップＳ１１において、チューナ１２から復調回路１３に出力される放送信号の符号化率（図２のＬ１／（Ｌ１＋Ｌ２）で示される数値）およびガード比（図２のＬ３／（Ｌ１＋Ｌ２）で表される数値）をそれぞれ初期値に設定する処理が行われる。具体的には、符号化率を７／８に設定するとともに、ガード比を１／８に設定する処理が行われる。そして、ステップＳ１２に進む。
【００３３】
次に、ステップＳ１２において、復調回路１３により復調されている放送信号のＣＮ比が８．５以下か否かを判断する処理が実行される。このステップＳ１２の処理は、ＣＮ比が８．５以下であると判断されるまで繰り返し実行される。そして、ＣＮ比が８．５以下であると判断された場合には、ステップＳ１３に進む。
【００３４】
次に、ステップＳ１３において、放送信号の符号化率を、上記ステップＳ１１において設定された初期値から一段階小さくする処理が実行される。具体的には、符号化率を７／８から５／６に設定する処理が実行される。そして、ステップＳ１４に進む。
【００３５】
次に、ステップＳ１４において、上記図３のステップＳ３の処理によりメモリ１７に記憶されたガードインターバル情報１７ａに基づいて、放送信号のガード比を最適なガード比に設定する処理が実行される。ここで、最適なガード比とは、ガード比の変更に起因するＣＮ比の劣化が最も抑制され、かつ、ガードインターバルの幅が最も小さくなるようなガード比である。そして、ステップＳ１５に進む。
【００３６】
次に、ステップＳ１５において、復調回路１３により復調されている放送信号のＣＮ比が８以下か否かを判断する処理が実行される。このステップＳ１５において、ＣＮ比が８を上回ると判断された場合には、上記ステップＳ１２に戻る。その一方、ステップＳ１５において、ＣＮ比が８以下であると判断された場合には、ステップＳ１６に進む。
【００３７】
次に、ステップＳ１６において、放送信号の符号化率を、上記ステップＳ１３において設定された値から一段階小さくする処理が実行される。具体的には、符号化率を５／６から３／４に設定する処理が実行される。そして、ステップＳ１７に進む。
【００３８】
次に、ステップＳ１７において、復調回路１３により復調されている放送信号のＣＮ比が７．５以下か否かを判断する処理が実行される。このステップＳ１７において、ＣＮ比が７．５を上回ると判断された場合には、上記ステップＳ１２に戻る。その一方、ステップＳ１７において、ＣＮ比が７．５以下であると判断された場合には、ステップＳ１８に進む。
【００３９】
次に、ステップＳ１８において、放送信号の符号化率を、上記ステップＳ１６において設定された値から一段階小さくする処理が実行される。具体的には、符号化率を３／４から２／３に設定する処理が実行される。そして、ステップＳ１９に進む。
【００４０】
次に、ステップＳ１９において、復調回路１３により復調されている放送信号のＣＮ比が７以下か否かを判断する処理が実行される。このステップＳ１９において、ＣＮ比が７を上回ると判断された場合には、上記ステップＳ１２に戻る。その一方、ステップＳ１９において、ＣＮ比が７以下であると判断された場合には、ステップＳ２０に進む。
【００４１】
次に、ステップＳ２０において、放送信号の符号化率を、上記ステップＳ１８において設定された値から一段階小さくする処理が実行される。具体的には、符号化率を２／３から１／２に設定する処理が実行される。そして、上記ステップＳ１２に戻る。
【００４２】
以上のようにして、放送信号の符号化率およびガード比が調整される。
【００４３】
第１実施形態では、上記のように、制御部１６を、チューナ１２により受信された放送信号のＣＮ比に応じて、チューナ１２から復調回路１３に出力される放送信号のうちの放送データの割合（符号化率）を調整するとともに、放送信号の干渉を抑制するために放送信号に付加するガードインターバルの幅（ガード比）を調整するように構成する。これにより、放送信号のＣＮ比が低下した場合において、ガードインターバルの幅が必要以上に大きい場合には、ガードインターバルの幅を小さくするように調整することができるので、所定時間当りに伝送される放送信号のデータ量が減少するのを抑制することができる。これにより、放送信号のＣＮ比が低下した場合にも、データの伝送効率が低下することを抑制することができるので、データの伝送効率の低下に起因するブロックノイズ（放送信号が表示装置２０に画像として表示された場合に画像の一部の領域（ブロック）がモザイク状に表示される現象を引き起こすノイズ）が発生するのを抑制することができる。
【００４４】
また、第１実施形態では、上記のように、制御部１６を、放送信号のＣＮ比の低下が最も抑制されるように、ガードインターバルの幅（ガード比）を変更するように構成する。これにより、ガードインターバルの幅が変更されても、放送信号のＣＮ比の低下が抑制されるので、ガードインターバルの幅の変更に起因する放送信号のＣＮ比の低下を抑制しながら、所定時間当りに伝送される放送信号のデータ量が減少するのを抑制することができる。
【００４５】
また、第１実施形態では、上記のように、制御部１６を、予め測定された、ガードインターバルの幅が変化した際における放送信号のＣＮ比の変化に関するガードインターバル情報１７ａに基づいて、放送信号の受信レベルの低下が最も抑制されるように、ガードインターバルの幅を変更するように構成する。これにより、ガードインターバルの幅が変化した際における放送信号のＣＮ比の変化に関するガードインターバル情報１７ａに基づいて、容易に、放送信号の受信レベルの低下が最も抑制されるガードインターバルの幅（ガード比）を選択することができる。
【００４６】
また、第１実施形態では、上記のように、制御部１６を、放送信号を受信するチャンネルのスキャニングが行われる際に、ガードインターバル情報１７ａを測定して、測定したガードインターバル情報１７ａをメモリ１７に記憶するように構成する。これにより、放送信号を受信するチャンネルのスキャニング時にガードインターバル情報１７ａが予めメモリ１７に記憶されているので、ガードインターバルの幅を変更する際に、メモリ１７に記憶されたガードインターバル情報１７ａを参照することによって、放送信号の受信レベルの低下が最も抑制されるガードインターバルの幅（ガード比）を迅速に選択することができる。
【００４７】
また、第１実施形態では、上記のように、制御部１６を、放送信号のＣＮ比に応じて、チューナ１２から復調回路１３に出力される放送信号のうちの放送データの割合（符号化率）を段階的に調整するとともに、放送信号に付加するガードインターバルの幅（ガード比）を調整するように構成する。これにより、チューナ１２から復調回路１３に出力される放送信号のうちの放送データの割合を連続的に変化させる場合と異なり、放送データの割合の調整を行う際の制御部１６の制御負担を軽減することができる。
【００４８】
（第２実施形態）
次に、図１および図５を参照して、本発明の第２実施形態によるＢＤ（Ｂｌｕ−Ｒａｙ  Ｄｉｓｃ）レコーダ１０ａの構成について説明する。この第２実施形態では、チャンネルスキャン時にのみガードインターバル情報１７ａが取得される上記第１実施形態と異なり、放送信号の符号化率が調整される毎にガードインターバル情報１７ａが取得される例について説明する。なお、ＢＤレコーダ１０ａは、本発明の「放送受信装置」の一例である。
【００４９】
この第２実施形態においても、上記第１実施形態と同様に、ＢＤレコーダ１０ａの制御部１６ａ（図１参照）は、チューナ１２により受信された放送信号のＣＮ比に応じて、チューナ１２から復調回路１３に出力される放送信号の符号化率およびガード比を調整する制御を行うように構成されている。また、制御部１６ａは、放送信号のＣＮ比が所定の基準値以上か否かを監視して、その監視結果に応じて、放送信号の符号化率を段階的に小さくするように構成されている。
【００５０】
ここで、第２実施形態では、制御部１６ａは、放送信号のＣＮ比に応じて符号化率が調整される毎に、放送信号のガード比を種々に変更した場合におけるＣＮ比の変化に関するガードインターバル情報１７ａを取得するとともに、取得したガードインターバル情報１７ａに基づいて、放送信号のガード比を最適な値（ガード比の変更に起因するＣＮ比の劣化が最も抑制され、かつ、ガードインターバルの幅が最も小さくなるようなガード比）に調整する制御を行うように構成されている。
【００５１】
なお、第２実施形態のその他の構成は、上記第１実施形態と同様である。
【００５２】
次に、図５を参照して、本発明の第２実施形態によるＢＤレコーダ１０ａの制御部１６ａにより符号化率およびガード比が調整される際に実行される処理フローについて説明する。
【００５３】
この処理フローにおいては、まず、図５に示すように、ステップＳ２１において、チューナ１２から復調回路１３に出力される放送信号の符号化率およびガード比をそれぞれ初期値（７／８および１／８）に設定する処理が行われる。そして、ステップＳ２２に進む。
【００５４】
次に、ステップＳ２２において、復調回路１３により復調されている放送信号のＣＮ比が８．５以下か否かを判断する処理が実行される。このステップＳ２２の処理は、ＣＮ比が８．５以下であると判断されるまで繰り返し実行される。そして、ＣＮ比が８．５以下であると判断された場合には、ステップＳ２３に進む。
【００５５】
次に、ステップＳ２３において、放送信号の符号化率を、上記ステップＳ２１において設定された初期値から一段階小さくする処理が実行される。具体的には、符号化率を７／８から５／６に設定する処理が実行される。そして、ステップＳ２４に進む。
【００５６】
次に、ステップＳ２４において、放送信号のガード比を種々に変更した場合にＣＮ比がどの程度劣化するのかが測定され、その測定結果をガードインターバル情報１７ａとして取得する処理が実行される。そして、ステップＳ２５に進む。
【００５７】
次に、ステップＳ２５において、上記ステップＳ２４の処理により取得されたガードインターバル情報１７ａに基づいて、放送信号のガード比を最適なガード比に設定する処理が実行される。ここで、最適なガード比とは、ガード比の変更に起因するＣＮ比の劣化が最も抑制され、かつ、ガードインターバルの幅が最も小さくなるようなガード比である。そして、ステップＳ２６に進む。
【００５８】
次に、ステップＳ２６において、復調回路１３により復調されている放送信号のＣＮ比が８以下か否かを判断する処理が実行される。このステップＳ２６において、ＣＮ比が８を上回ると判断された場合には、上記ステップＳ２２に戻る。その一方、ステップＳ２６において、ＣＮ比が８以下であると判断された場合には、ステップＳ２７に進む。
【００５９】
次に、ステップＳ２７において、放送信号の符号化率を、上記ステップＳ２３において設定された値から一段階小さくする処理が実行される。具体的には、符号化率を５／６から３／４に設定する処理が実行される。そして、ステップＳ２８に進む。
【００６０】
次に、ステップＳ２８において、ガードインターバル情報１７ａを取得する処理（上記ステップＳ２４と同様の処理）が再度実行され、ステップＳ２９に進む。そして、ステップＳ２９において、上記ステップＳ２８の処理により取得されたガードインターバル情報１７ａに基づいて、放送信号のガード比を最適なガード比に設定する処理（上記ステップＳ２５と同様の処理）が実行される。そして、ステップＳ３０に進む。
【００６１】
次に、ステップＳ３０において、復調回路１３により復調されている放送信号のＣＮ比が７．５以下か否かを判断する処理が実行される。このステップＳ３０において、ＣＮ比が７．５を上回ると判断された場合には、上記ステップＳ２２に戻る。その一方、ステップＳ３０において、ＣＮ比が７．５以下であると判断された場合には、ステップＳ３１に進む。
【００６２】
次に、ステップＳ３１において、放送信号の符号化率を、上記ステップＳ２７において設定された値から一段階小さくする処理が実行される。具体的には、符号化率を３／４から２／３に設定する処理が実行される。そして、ステップＳ３２に進む。
【００６３】
次に、ステップＳ３２において、ガードインターバル情報１７ａを取得する処理（上記ステップＳ２４およびＳ２８と同様の処理）が再度実行され、ステップＳ３３に進む。そして、ステップＳ３３において、上記ステップＳ３２の処理により取得されたガードインターバル情報１７ａに基づいて、放送信号のガード比を最適なガード比に設定する処理（上記ステップＳ２５およびＳ２９と同様の処理）が実行される。そして、ステップＳ３４に進む。
【００６４】
次に、ステップＳ３４において、復調回路１３により復調されている放送信号のＣＮ比が７以下か否かを判断する処理が実行される。このステップＳ３４において、ＣＮ比が７を上回ると判断された場合には、上記ステップＳ２２に戻る。その一方、ステップＳ３４において、ＣＮ比が７以下であると判断された場合には、ステップＳ３５に進む。
【００６５】
次に、ステップＳ３５において、放送信号の符号化率を、上記ステップＳ３１において設定された値から一段階小さくする処理が実行される。具体的には、符号化率を２／３から１／２に設定する処理が実行される。そして、ステップＳ３６に進む。
【００６６】
次に、ステップＳ３６において、ガードインターバル情報１７ａを取得する処理（上記ステップＳ２４、Ｓ２８およびＳ３２と同様の処理）が再度実行され、ステップＳ３７に進む。そして、ステップＳ３７において、上記ステップＳ３６の処理により取得されたガードインターバル情報１７ａに基づいて、放送信号のガード比を最適なガード比に設定する処理（上記ステップＳ２５、Ｓ２９およびＳ３３と同様の処理）が実行される。そして、上記ステップＳ２２に戻る。
【００６７】
第２実施形態では、上記のように、制御部１６ａを、放送信号のＣＮ比に応じて符号化率が調整される毎に、放送信号のガード比を種々に変更した場合におけるＣＮ比の変化に関するガードインターバル情報１７ａを取得するとともに、取得したガードインターバル情報１７ａに基づいて、放送信号のガード比を最適な値（ガード比の変更に起因するＣＮ比の劣化が最も抑制され、かつ、ガードインターバルの幅が最も小さくなるようなガード比）に調整する制御を行うように構成されている。これにより、放送信号のＣＮ比に応じて符号化率が調整される毎に、最新のガードインターバル情報１７ａが取得されるので、最新のガードインターバル情報１７ａに基づいて、放送信号のガード比を適切に調整することができる。この第２実施形態は、携帯型のＢＤレコーダ（放送受信装置）のように、放送受信装置の移動に伴って受信環境が変化する場合に、その受信環境の変化に対応した最新のガードインターバル情報１７ａを用いて放送信号のガード比を適切に調整することができる点で有効である。
【００６８】
なお、第２実施形態のその他の効果は、上記第１実施形態と同様である。
【００６９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７０】
たとえば、上記第１および第２実施形態では、本発明の放送受信装置としてＢＤレコーダを用いる例を示したが、本発明はこれに限らない。本発明は、放送信号を受信する受信部を備えた放送受信装置であれば、ＢＤレコーダ以外の他の放送受信装置（たとえば、テレビジョン装置やセットトップボックス（ＳＴＢ）など）にも適用可能である。
【００７１】
また、上記第１および第２実施形態では、放送信号のＣＮ比に応じて放送信号の符号化率およびガード比を調整する例を示したが、本発明はこれに限らない。本発明では、放送信号のＣＮ比以外の信号レベルに応じて放送信号の符号化率およびガード比を調整してもよい。たとえば、放送信号に対する誤り訂正の発生率（ＢＥＲ：ビットエラーレート）に応じて放送信号の符号化率およびガード比を調整してもよいし、放送信号の受信レベル（受信強度）に応じて放送信号の符号化率およびガード比を調整してもよい。
【００７２】
また、上記第１および第２実施形態では、放送信号の符号化率をＣＮ比に応じて段階的に調整する例を示したが、本発明はこれに限らない。本発明では、放送信号の符号化率をＣＮ比に応じて連続的に調整してもよい。
【００７３】
また、上記第２実施形態では、放送信号の符号化率が段階的に小さくなる毎に、放送信号のガード比を最適な値（ガード比の変更に起因するＣＮ比の劣化が最も抑制され、かつ、ガードインターバルの幅が最も小さくなるようなガード比）に調整する例を示したが、本発明はこれに限らない。本発明では、放送信号の符号化率が段階的に小さくなる毎に、放送信号のガード比を段階的に小さくしてもよい。
【符号の説明】
【００７４】
１０、１０ａ  ＢＤレコーダ（放送受信装置）
１２  チューナ（受信部）
１３  復調回路（復調部）
１６、１６ａ  制御部
１７  メモリ（記憶部）
１７ａ  ガードインターバル情報
【図１】
2014138230.tif 000003
【図２】
2014138230.tif 000004
【図３】
2014138230.tif 000005
【図４】
2014138230.tif 000006
【図５】
2014138230.tif 000007